(57)【特許請求の範囲】
【請求項１】
便器のトラップ排水口に接続される接続部と、外部の排水管に内挿される排水管側開口部と、床面及び／または前記便器に固定される固定部と、からなる排水ソケットにおいて、
前記接続部の上端から前記排水管側開口部の下端までの鉛直方向の長さを周方向で異ならせ、排水管側開口部の鉛直方向で長い方を排水の進行方向と反対側にし、
前記排水管側開口部を、排水管の屈曲部付近まで挿入できる長さに延設すると共に、該排水管開口部に、便器からの排水が前記屈曲部に落下した直後の進行方向を調整する進行方向調整部を設けたことを特徴とする排水ソケット。
【請求項２】
前記排水管側開口部を別体とし、排水ソケット本体と脱着自在に構成したことを特徴とする請求項１記載の排水ソケット。
【請求項３】
前記進行方向調整部が、前記排水管側開口部から突出している曲面であることを特徴とする請求項１または２記載の排水ソケット。
【請求項４】
前記進行方向調整部を別体とし、排水ソケット本体と、着脱自在に構成したことを特徴とする請求項１乃至３いずれか記載の排水ソケット。
【請求項５】
便器のトラップ排水口に接続される接続部と、外部の排水管に内挿される排水管側開口部と、床面及び／または前記便器に固定される固定部と、からなる排水ソケットにおいて、
前記接続部の上端から前記排水管側開口部の下端までの鉛直方向の長さを周方向で異ならせ、排水管側開口部の鉛直方向で長い方を排水の進行方向と反対側にし、
前記排水管側開口部の外周面に、排水管と開口部との隙間を塞ぐ隙間閉塞部材を設けたことを特徴とする排水ソケット。
【請求項６】
前記接続部近傍の内壁部に、サイホンを効率的に起動させるための段部を備えることを特徴とする請求項１乃至５いずれか記載の排水ソケット。
【請求項７】
便器のトラップ排水口に接続される接続部と、外部の排水管に内挿される排水管側開口部と、床面及び／または前記便器に固定される固定部と、からなる排水ソケットにおいて、
前記接続部の上端から前記排水管側開口部の下端までの鉛直方向の長さを周方向で異ならせ、排水管側開口部の鉛直方向で長い方を排水の進行方向と反対側にした排水ソケットを利用した排水管の接続構造であって、
前記排水管側開口部の一部を、排水管の屈曲部の屈曲方向と反対側の排水管内壁に接触させることを特徴とする排水管接続方法。
【発明の詳細な説明】
【０００１】
【発明の属する技術分野】
本発明は、建物内の排水管に連通する水洗便器の排水ソケットに関する。
【０００２】
【従来の技術】
従来より、排水ソケットを利用した水洗便器の配管接続構造としては、例えば、図５及び図６に示す特開平８−３２６１３６号公報に開示されたものが知られている。
この排水ソケット１は、上方に向かうにつれて流路が拡径されると共に、図５に示すように便器ＢのトラップＣを受容する曲管状のトラップ受容部３と、トラップ受容部３の下部に連続して排水管Ａに嵌合される直管状の排水管嵌合部４と、排水管嵌合部４の外側に隙間を隔てて同軸で一体成形された筒状のスリーブ５と、このスリーブ５の下端に直径方向に対向状で一体成形された前後一対の板状張り出し部７、８とを有しており、さらに排水ソケット１の前部にはトラップ受容部３からスリーブ５を経て前方の板状張り出し部７の上面にかけて上下方向に延びる垂直板部９が一体成形されている。
このような形状をとることにより、トラップＣからの排水を単に排水管Ａに導くだけの機能でなく、サイホンの発生をより確実にし汚物の排出機能向上に貢献してきた。
【０００３】
【発明が解決しようとする課題】
ところが、従来の排水ソケットでは、サイホンを確実に起こし便器の外へ汚物を排出することのみに着目しており、排出された後の建物内での排水管内での排水の動きは重視していなかった。そのため、汚物を含む排水は、便器の外へは排出されるものの、排水管内で滞っている可能性があり、非衛生的であると共に、極端な場合排水管が詰まってしまう恐れもあった。従って、排水管内の排水の円滑な流れを妨げる要因を除去することにより、ロータンク等から供給された便器洗浄水の高いエネルギーを保持して、排水を排水管内排水に停滞させることなく、公共の排水本管まで搬送させることが望まれている。
特に、排水ソケットの排水管側開口部から吐出する際に、図５に矢印で示す如く、排水管の内側壁や底部への衝突等による排水の飛び散りが激しく、その後の排水の動きに対して大きな抵抗になり、多大なエネルギーを消費していた。
本発明は、上記課題を解決するためになされたもので、本発明の目的は、排水ソケットから排水管に排出される際の排水の抵抗を低減することにある。
【０００４】
【課題を解決するための手段および作用・効果】
上記目的を達成するために請求項１は、便器のトラップ排水口に接続される接続部と、外部の排水管に内挿される排水管側開口部と、床面及び／または便器に固定される固定部と、からなる排水ソケットにおいて、接続部の上端から排水管側開口部の下端までの鉛直方向の長さを周方向で異ならせ、排水管側開口部の鉛直方向で長い方を排水の進行方向と反対側にし、排水管側開口部を、排水管の屈曲部付近まで挿入できる長さに延設すると共に、該排水管開口部に、便器からの排水が屈曲部に落下した直後の進行方向を調整する進行方向調整部を設けたことを特徴とする。本発明によれば、排水管側開口部の鉛直方向で長い方を排水の進行方向と反対側にすることで、進行方向以外への排水の飛散を防止し、排水を進行方向へのみ行きやすくする。従って、排水管内での排水の流れに対する抵抗を減らすこととなり排水を排水管内でスムーズに流すことが可能となる。
さらに、排水管開口部から吐出された排水が進行方向調整部と滑らかに衝突するので、排水管の内側壁や底部に衝突する前に進行方向を変更することが可能となる。また進行方向調整部は、直立している排水管に対して任意の角度を有しており、その角度により排水管屈曲部衝突時の排水の飛散を軽減し高いエネルギーを持続しやすくし、進行方向に排水を行かせやすくする。
【０００５】
また請求項２は、前記排水管側開口部を別体とし、排水ソケット本体と脱着自在に構成したことを特徴とする。
本発明によれば、排水管の屈曲部がどの方向に曲がっていても、排水ソケット本体の取付方向（便器の取付方向）を変更することなく、排水管開口部のみを任意の方向に回転させることが可能となる。
従って、便器の固定方法や排水ソケットの固定条件に左右されることなく、排水管の進行方向以外への排水の飛散を防止し、進行方向に排水を行かせやすくする。
【０００７】
また請求項３は、前記進行方向調整部が、前記排水管側開口部から突出している曲面であることを特徴とする。本発明によれば、排水口から吐出された排水が曲面状の進行方向調整部とまず衝突することにより、排水管の内側壁や底部に衝突する前に進行方向を変更することが可能となる。また、進行方向調整部は直立している排水管に対して任意の角度を有しており、その角度により排水管屈曲部衝突時の排水の飛散を軽減し高いエネルギーを持続しやすくし、進行方向に排水を行かせやすくする。さらに衝突部が曲面形状であるため、なお滑らかに進行方向を変更することが可能となる。
【０００８】
また請求項４は、前記進行方向調整部を別体とし、排水ソケット本体と、着脱自在に構成したことを特徴とする。本発明によれば、排水管の屈曲部がどの方向に曲がっていても、排水ソケット本体の取付方向（便器の取付方向）を変更することなく、進行方向調整部のみを任意の位置に配置させることが可能となる従って、便器の固定方法やソケットの固定条件に左右されることなく、進行方向以外への排水の飛散を防止し、進行方向に排水を行かせやすくする。また進行方向調整部は直立している排水管に対して任意の角度を有しており、その角度により屈曲部衝突後の排水の飛散状態を軽減し高いエネルギーを持続しやすくし、進行方向に排水を行かせやすくする。また便器の種類や設置条件等によって、接続部へ流入する排水の勢い（エネルギー）が異なるので、便器の種類や設置される現場の状態に適応した最適な形状、位置で進行方向調整部を取り付けることにより、より適した排水の排水管内での洗浄状態を実現できる。
【０００９】
また請求項５は、便器のトラップ排水口に接続される接続部と、外部の排水管に内挿される排水管側開口部と、床面及び／または前記便器に固定される固定部と、からなる排水ソケットにおいて、前記接続部の上端から前記排水管側開口部の下端までの鉛直方向の長さを周方向で異ならせ、排水管側開口部の鉛直方向で長い方を排水の進行方向と反対側にし、前記排水管側開口部の外周面に、排水管と開口部との隙間を塞ぐ隙間閉塞部材を設けたことを特徴とする。本発明によれば、前記排水管側開口部の長い方を排水の進行方向と反対側に配置し、かつ進行方向以外の排水管との間隙には隙間閉塞部材閉塞部材があるため、進行方向以外への排水の飛散及び流入を防止し、排水を進行方向へのみ行きやすくする。従って、排水管内での排水の流れに対する抵抗を減らすこととなり排水が排水管内でスムーズな流れを作ることが可能となる。
【００１０】
また請求項６は、前記接続部近傍の内壁部に、サイホンを効率的に起動させるための段部を備えることを特徴とする。本発明によれば、前記段部に排水がぶつかり、排水をトラップ管内に満たしやすくさせ、洗浄初期においてはサイホンを起動させ易くし、また洗浄中期から終期においてはサイホン切れを抑制して、サイホンの持続に寄与する。その後は、排水管開口部側にて排水の排水管内での動きをスムーズに行わすことが可能となる。従って便器からの排水の排出能力を保持しつつ、排出後の排水管内での排水の運動エネルギーを高く保持することが可能となる。
【００１１】
また請求項７は、便器のトラップ排水口に接続される接続部と、外部の排水管に内挿される排水管側開口部と、床面及び／または前記便器に固定される固定部と、からなる排水ソケットにおいて、前記接続部の上端から前記排水管側開口部の下端までの鉛直方向の長さを周方向で異ならせ、排水管側開口部の鉛直方向で長い方を排水の進行方向と反対側にした排水ソケットを利用した排水管の接続構造であって、前記排水管側開口部の一部を、排水管の屈曲部の屈曲方向と反対側の排水管内壁に接触させることを特徴とする排水管接続方法である。本発明によれば、排水管側開口部と排水管とを接触させることにより、排水管の屈曲部に落下した直後の排水が排水管側開口部と排水管との隙間に回り込むのを防止でき、排水を所望の方向に円滑に進行させるることが出来る。従って、簡便な作業のみで高いエネルギーを保持した状態で排水管内を流れることが可能となる。
【００１２】
【発明の実施の形態】
以下図面に沿って発明内容を説明する。
図1に本発明に係る一実施例を示した排水ソケットの説明図を示す。また図２に排水ソケットの段部箇所のみが異なる排水ソケットの拡大図を示す。
排水ソケット３０は、便器２７のトラップ２６との接続部３１と、排水ソケット３０自体の床４１への固定部３２と、排水管４２へ排水を導く排水管側開口３３を備える排水管側開口部３４と、からなっている。Ｗは便器２７が設置されているトイレ空間の壁である。
次に、便器２７洗浄時の洗浄水の流れを説明する。
洗浄水を貯留するタンク（図示せず）からの洗浄水は、給水口２１より入り込み、リム部２２を通りながら、リム部２２底部に空いている射水孔２３よりボウル面２４に流れ込む。その後、ボウル面２４内の水位が上昇しトラップ２６の排水口２５から排水が落下し始め、排水ソケット３０の内壁にある段部３５に衝突し、衝突後の排水が排水ソケット３０内で水膜形成しサイホンを起動させ、ボウル面２４内にある汚物と共に排水ソケット内も通り抜け排水管内に入り込む。
【００１３】
次に図２を用い排水管内へ流入時の排水の動きについて説明する。
図２に示す排水ソケット５１は、トラップ５２との接続部６１にパッキン６２を備え、また床５４との固定のためのねじ５６を通す貫通孔５７を備えており、ねじ５６により固定されている。また排水管側開口部６５の形状が排水管６６内では排水管６６の屈曲方向とは反対側の内壁が屈曲側よりも長い形状であることを特徴とする。
よって本実施例では、図中矢印で示すように、排水管側開口６４から吐出される排水は隙間７１の方向へは行きづらくなり、排水管６６衝突時の排水の飛散が縮小され、移動のための抵抗が減少することにより進行方向である排水管６６の下流方向へより行きやすくなる。従って排水管６６内での排水などの滞留の可能性が少なくなり、ひいてはさらなる節水につながる。
なお、図１と図２では段部３５、６３の内壁での箇所が異なるのみであり排水管衝突時の排水の挙動に対しては同様に作用する。
また段部の位置、形状等は、便器の種類等に応じて、排水のトラップへの入水状況により最適な方を選べばよい。
【００１４】
図３に本発明に係る別の実施例を示す。
この排水ソケット８１は、図示しない箇所にてトラップの排水口と接続される排水ソケット本体８１ａと、この排水ソケット８１ａに脱着部８７にてパッキン８６を介して接続される排水管側開口部８８とから形成した点に特徴を有する。前記排水ソケット本体８１ａは、床８２と略平行な面に貫通孔８４を備え、その貫通孔にねじ８３を通して床８２に固定されている。また、排水管側開口９０の任意の箇所に任意の角度を有した傾斜部である進行方向調整部８９を一体形成している。
従って、トラップの排水口から出てきた排水の大部分は、図中矢印で示す如く、排水管側開口部８８の進行方向調整部８９に衝突し排水管９１の下流方向の方向へ進んでいく。すなわち、排水管９１に衝突する前に任意の角度である進行方向調整部にぶつかることで、略水平な排水管の底部に衝突したとき以上に排水管の下流方向へ進みやすくなる。かつ、進行方向とは逆の隙間９２には行きづらくなる。
また、排水管側開口部は脱着部があることにより、好適な状態に排水管側開口部を備えることが可能となる。
よって本発明では、排水管９１衝突時の排水の飛散状態が縮小され、移動のための抵抗が減少することにより進行方向である排水管の下流方向へより行きやすくなる。従って排水管９１内での排水などの滞留の可能性が少なくなり、ひいてはさらなる節水につながる。
また、固定部８５の位置と排水管９１の屈曲部の関係は現場毎に様々であるため排水管側開口部８８を脱着可能とすることで各現場の屈曲方向に合わせて排水管側開口部８８を接続することにより各現場で最適な位置に進行方向調整部を設置することが可能となる。
【００１５】
図４に排水ソケットの床下部分と排水管との接続構造の概略を示す。
この排水ソケット１０１は、便器のトラップから排水が落下してくる部分に、任意の角度である傾斜部を排水の進行方向調整部１０４として有し、排水の進行方向である排水管１１３の下流方向に向けて排水管側開口部１０３が開口している。また、排水管側開口部１０３の反対側には排水管１１３と排水ソケットとの隙間１１１を埋めるゴム等からなる隙間閉塞部材１０５があり、排水管１１３及び排水ソケット１０１それぞれに接触している。
したがって、上流から落下してくる排水は、図中の矢印で示すように、排水ソケット１０１下部の進行方向調整部１０４に衝突し排水管側開口部１０３より排水管１１３の下流方向に向かって流れ出る。従って、図中２点鎖線で示される従来の排水管側開口部から落下するときに比べて隙間１１１へ飛散する排水がなく、また開口部を排水管の下流方向に向けて設置しているため、排水管内でのスムーズな排水の流れを実現できる。また隙間閉塞部材が排水管１１３と排水ソケット１０１との隙間を塞ぐため、排水管１１３に流れ込んだ後の排水の隙間１１１への排水の侵入がより確実に防止可能となる。なお、隙間閉塞部材の形状、取り付け位置は本実施例に限ったものではなく、排水管と排水ソケットの進行方向以外の隙間部に侵入させない位置に設置されていればよい。
【図面の簡単な説明】
【図１】  本発明の一実施例を示す縦断面である。
【図２】  同、要部縦断面図である。
【図３】  本発明の別の実施例を示す要部縦断面図である。
【図４】  本発明の別の実施例を示す要部縦断面図である。
【図５】  従来の排水ソケットの取付状態を示す縦断面図である。
【図６】  同、中央から破断した状態で示した斜視図である。
【符号の説明】
２５、５３：排水口
２６、５２：トラップ
２７：便器
３０、５１、８１：排水ソケット
３１、６１：接続部
３３、６４、９０：排水管側開口
３４、６５、８８、１０３：排水管側開口部
３５、６３：段部
４２、６６、９１、１１３：排水管
７１、９２：隙間
８９、１０４：進行方向調整部
１０５…隙間閉塞部材
【図１】
0004423655.tif 000002
【図２】
0004423655.tif 000003
【図３】
0004423655.tif 000004
【図４】
0004423655.tif 000005
【図５】
0004423655.tif 000006
【図６】
0004423655.tif 000007